(57)【要約】【課題】  ダイアリーのノート本体のページを開かなくても、ユーザが常に確認したい年間カレンダー、ＴＯＤＯリスト、年間スケジュールを容易に参照できるノートカバー及びダイアリーを提供する。【解決手段】  表表紙部１２の内側にノートの表表紙を差し込む第１の差込部１２ａが形成され、裏表紙部１３の内側にノートの裏表紙を差し込む第２の差込部１３ａが形成され、裏表紙部１３の折曲部１１とは反対側の端部に、裏表紙の差込方向における裏表紙部１３の長さより短い幅で折返可能な折返部１４が形成され、折返部１４には、当該幅より短い幅の年間カレンダー、ＴＯＤＯリスト又は年間スケジュールの紙片が参照可能に収納される収納部１５が設けられているノートカバー及びダイアリーである。【選択図】        図１
0003205497.tif 000002
【実用新案登録請求の範囲】
【請求項１】
ダイアリーのノートをカバーするノートカバーであって、
前記ノートの表表紙をカバーする表表紙部と、
前記ノートの裏表紙をカバーする裏表紙部と、
前記ノートの背表紙の部分をカバーし、折り曲げ可能な折曲部と、
前記表表紙部の内側に設けられ、前記ノートの表表紙を差し込む第１の差込部と、
前記裏表紙部の内側に設けられ、前記ノートの裏表紙を差し込む第２の差込部とを有し、
前記裏表紙部の前記折曲部とは反対側の端部に、裏表紙の差込方向における前記裏表紙部の長さより短い幅で折返し可能な折返部が形成され、
前記折返部には、当該幅より短い幅の年間カレンダー、ＴＯＤＯリスト又は年間スケジュールの紙片が参照可能に収納される収納部が設けられていることを特徴とするノートカバー。
【請求項２】
折返部には、折曲部とは反対側の端部にホックボタンの凹部又は凸部が形成され、
表表紙部の外側に、前記折曲部を折り曲げて前記折返部を折り返した場合に、前記凹部又は前記凸部に重なる位置にホックボタンの凸部又は凹部が形成されていることを特徴とする請求項１記載のノートカバー。
【請求項３】
ダイアリーのノートをカバーするノートカバーであって、
前記ノートの表表紙をカバーする表表紙部と、
前記ノートの裏表紙をカバーする裏表紙部と、
前記ノートの背表紙の部分をカバーし、折り曲げ可能な折曲部と、
前記表表紙部の内側に設けられ、前記ノートの表表紙を差し込む第１の差込部と、
前記裏表紙部の内側に設けられ、前記ノートの裏表紙を差し込む第２の差込部とを有し、
前記表表紙部の前記折曲部とは反対側の端部に、表表紙の差込方向における前記表表紙部の長さより短い幅で折返可能な折返部が形成され、
前記折返部には、当該幅より短い幅の年間カレンダー、ＴＯＤＯリスト又は年間スケジュールの紙片が参照可能に収納される収納部が設けられていることを特徴とするノートカバー。
【請求項４】
折返部には、折曲部とは反対側の端部にホックボタンの凹部又は凸部を形成し、
裏表紙部の外側に、前記折曲部を折り曲げて前記折返部を折り返した場合に、前記凹部又は前記凸部と重なる位置にホックボタンの凸部又は凹部が形成されていることを特徴とする請求項３記載のノートカバー。
【請求項５】
収納部は、透明素材で形成され、年間カレンダー、ＴＯＤＯリスト又は年間スケジュールの紙片を挿入する開口部を有することを特徴とする請求項１乃至４のいずれか記載のノートカバー。
【請求項６】
月間のカレンダー又は／及び週間のカレンダーを有するダイアリーのノートを請求項１乃至５のいずれか記載のノートカバーに差し込んだことを特徴とするダイアリー。
【考案の詳細な説明】
【技術分野】
【０００１】
本考案は、ノートカバー及びダイアリーに係り、特に、ノート本体のページを開かなくても、ユーザが頻繁に確認したい事項を容易に参照できるノートカバー及びダイアリーに関する。
【背景技術】
【０００２】
［先行技術の説明］
従来のダイアリーは、年間、月間、週間のページを開いて日付を確認し、年間スケジュールを確認するものとなっている。
また、従来のダイアリーは、ページを開いて処理すべき事項（ＴＯＤＯ）のリストを確認するようになっている。
【０００３】
［関連技術］
尚、関連する先行技術としては、特開２００１−３９０６１号公報「分割ページ型手帳及び分割ページ型ダイアリー」（株式会社ミドリ）［特許文献１］、特開２００５−２２４００号公報「手帳」（プライム・アソシエイツ株式会社）［特許文献２］、特開２０１１−４６０４４号公報「手帳」（伊藤手帳株式会社）［特許文献３］、実用新案登録第３０７８０７３号公報「分冊手帳付き手帳」（株式会社日本能率協会マネージメントセンター）［特許文献４］、実用新案登録第３１７０８１６号公報「ノート及び類似物のカスタマイズ用文具」（株式会社グリーティングライフ）［特許文献５］がある。
【０００４】
特許文献１，３には、手帳の上段と下段でページ部分が分割されている構成が記載されている。
特許文献２には、リングに一般のサイズの用紙と２つ折可能な大判用紙を綴じ、大判用紙の外側に年間カレンダーの欄が設けられている構成が記載されている。
【０００５】
特許文献４には、手帳本体とは別に分冊手帳を同時に開くことができる構造が記載されている。
特許文献５には、ノートの見開きの左に年間カレンダーを貼り、右に月間カレンダーを貼ることができるための文具の構成が記載されている。
【先行技術文献】
【特許文献】
【０００６】
【特許文献１】特開２００１−３９０６１号公報
【特許文献２】特開２００５−２２４００号公報
【特許文献３】特開２０１１−４６０４４号公報
【特許文献４】実用新案登録第３０７８０７３号公報
【特許文献５】実用新案登録第３１７０８１６号公報
【考案の概要】
【考案が解決しようとする課題】
【０００７】
しかしながら、従来のダイアリーでは、本体のページを開くことなく、ユーザが頻繁に確認したい年間カレンダー、ＴＯＤＯリスト、年間スケジュールを容易に参照できるものとはなっていないという問題点があった。
【０００８】
尚、特許文献１〜５には、ダイアリーの本体のページを閉じたままで、年間カレンダー、ＴＯＤＯリスト、年間スケジュールを容易に参照できる構成は記載されていない。
【０００９】
本考案は上記実状に鑑みて為されたもので、ダイアリーのノート本体のページを開かなくても、ユーザが頻繁に確認したい年間カレンダー、ＴＯＤＯリスト、年間スケジュールを容易に参照できるノートカバー及びダイアリーを提供することを目的とする。
【課題を解決するための手段】
【００１０】
上記従来例の問題点を解決するための本考案は、ダイアリーのノートをカバーするノートカバーであって、ノートの表表紙をカバーする表表紙部と、ノートの裏表紙をカバーする裏表紙部と、ノートの背表紙の部分をカバーし、折り曲げ可能な折曲部と、表表紙部の内側に設けられ、ノートの表表紙を差し込む第１の差込部と、裏表紙部の内側に設けられ、ノートの裏表紙を差し込む第２の差込部とを有し、裏表紙部の折曲部とは反対側の端部に、裏表紙の差込方向における裏表紙部の長さより短い幅で折返し可能な折返部が形成され、折返部には、当該幅より短い幅の年間カレンダー、ＴＯＤＯリスト又は年間スケジュールの紙片が参照可能に収納される収納部が設けられていることを特徴としている。
【００１１】
また、本考案は、上記ノートカバーにおいて、折返部には、折曲部とは反対側の端部にホックボタンの凹部又は凸部が形成され、表表紙部の外側に、折曲部を折り曲げて折返部を折り返した場合に、凹部又は凸部に重なる位置にホックボタンの凸部又は凹部が形成されていることを特徴としている。
【００１２】
また、本考案は、ダイアリーのノートをカバーするノートカバーであって、ノートの表表紙をカバーする表表紙部と、ノートの裏表紙をカバーする裏表紙部と、ノートの背表紙の部分をカバーし、折り曲げ可能な折曲部と、表表紙部の内側に設けられ、ノートの表表紙を差し込む第１の差込部と、裏表紙部の内側に設けられ、ノートの裏表紙を差し込む第２の差込部とを有し、表表紙部の折曲部とは反対側の端部に、表表紙の差込方向における表表紙部の長さより短い幅で折返可能な折返部が形成され、折返部には、当該幅より短い幅の年間カレンダー、ＴＯＤＯリスト又は年間スケジュールの紙片が参照可能に収納される収納部が設けられていることを特徴としている。
【００１３】
また、本考案は、上記ノートカバーにおいて、折返部には、折曲部とは反対側の端部にホックボタンの凹部又は凸部が形成され、裏表紙部の外側に、折曲部を折り曲げて折返部を折り返した場合に、凹部又は凸部と重なる位置にホックボタンの凸部又は凹部が形成されていることを特徴としている。
【００１４】
また、本考案は、上記ノートカバーにおいて、収納部は、透明素材で形成され、年間カレンダー、ＴＯＤＯリスト又は年間スケジュールの紙片を挿入する開口部を有することを特徴としている。
【００１５】
また、本考案は、ダイアリーにおいて、月間のカレンダー又は／及び週間のカレンダーを有するダイアリーのノートを上記ノートカバーのいずれかに差し込んだことを特徴としている。
【考案の効果】
【００１６】
本考案によれば、ダイアリーのノートをカバーするノートカバーであって、ノートの表表紙をカバーする表表紙部と、ノートの裏表紙をカバーする裏表紙部と、ノートの背表紙の部分をカバーし、折り曲げ可能な折曲部と、表表紙部の内側に設けられ、ノートの表表紙を差し込む第１の差込部と、裏表紙部の内側に設けられ、ノートの裏表紙を差し込む第２の差込部とを有し、裏表紙部の折曲部とは反対側の端部に、裏表紙の差込方向における裏表紙部の長さより短い幅で折返し可能な折返部が形成され、折返部には、当該幅より短い幅の年間カレンダー、ＴＯＤＯリスト又は年間スケジュールの紙片が参照可能に収納される収納部が設けられているノートカバーとしているので、折曲部で折り曲げられ、折返部が折り返されてノートカバーが閉じた状態から、ノート本体を開かなくても折返部を開くだけで年間カレンダー、ＴＯＤＯリスト又は年間スケジュールを容易に参照できる効果がある。
【００１７】
本考案によれば、ダイアリーのノートをカバーするノートカバーであって、ノートの表表紙をカバーする表表紙部と、ノートの裏表紙をカバーする裏表紙部と、ノートの背表紙の部分をカバーし、折り曲げ可能な折曲部と、表表紙部の内側に設けられ、ノートの表表紙を差し込む第１の差込部と、裏表紙部の内側に設けられ、ノートの裏表紙を差し込む第２の差込部とを有し、表表紙部の折曲部とは反対側の端部に、表表紙の差込方向における表表紙部の長さより短い幅で折返可能な折返部が形成され、折返部には、当該幅より短い幅の年間カレンダー、ＴＯＤＯリスト又は年間スケジュールの紙片が参照可能に収納される収納部が設けられているノートカバーとしているので、折曲部で折り曲げられ、折返部が折り返されてノートカバーが閉じた状態から、ノート本体を開かなくても折返部を開くだけで年間カレンダー、ＴＯＤＯリスト又は年間スケジュールを容易に参照できる効果がある。
【図面の簡単な説明】
【００１８】
【図１】本ノートカバーを開いた状態を示す概略図である。
【図２】表表紙部を閉じた状態を示す概略図である。
【図３】折返部を閉じた状態を示す概略図である。
【図４】本ダイアリーのノート本体を開いた状態を示す説明図である。
【図５】本ダイアリーが閉じた状態の底面を示す説明図である。
【図６】紙片の他の例を示す図である。
【考案を実施するための形態】
【００１９】
本考案の実施の形態について図面を参照しながら説明する。
［実施の形態の概要］
本考案の実施の形態に係るノートカバーは、ノートの表表紙をカバーする表表紙部と、ノートの裏表紙をカバーする裏表紙部と、ノートの背表紙の部分をカバーし、折り曲げ可能な折曲部と、表表紙部の内側に設けられ、ノートの表表紙を差し込む第１の差込部と、裏表紙部の内側に設けられ、ノートの裏表紙を差し込む第２の差込部とを有し、裏表紙部の、折曲部とは反対側の端部に折返部が形成され、折返部には、年間カレンダー、ＴＯＤＯリスト又は年間スケジュールの紙片が参照可能に収納される収納部が設けられているものであり、折曲部で折り曲げられ、折返部が折り返されてノートカバー全体を閉じた状態から、フラップ状の折返部を開くだけで、ノート本体を開くことなく、年間カレンダー、ＴＯＤＯリスト又は年間スケジュールを容易に参照できるものである。
【００２０】
本考案の実施の形態に係るダイアリーは、上記ノートカバーに月間のカレンダー又は／及び週間のカレンダーを有するダイアリーのノートを差し込んだものであり、折曲部で折り曲げられ、折返部が折り返されてノートカバー全体を閉じた状態から、折返部を開くだけで、ノート本体を開くことなく、年間カレンダー、ＴＯＤＯリスト又は年間スケジュールを容易に参照できるものである。
【００２１】
［本ノートカバー：図１〜３］
本考案の実施の形態に係るノートカバー（本ノートカバー）について図１〜３を参照しながら説明する。図１は、本ノートカバーを開いた状態を示す概略図であり、図２は、表表紙部を閉じた状態を示す概略図であり、図３は、折返部を閉じた状態を示す概略図である。
本ノートカバーは、図１〜３に示すように、ダイアリーのノートの背表紙をカバーする折曲部１１と、表表紙をカバーする表表紙部１２と、裏表紙をカバーする裏表紙部１３と、折返し可能な折返部１４とを基本的に備えている。
【００２２】
具体的には、本ノートカバーにおいて、表表紙部１２、折曲部１１、裏表紙部１３、折返部１４の外側は、人工皮革等の外側部材で略長方形に一体に形成されており、表表紙部１２、折曲部１１、裏表紙部１３、折返部１４の内側には、外側部材とほぼ同じ形状に一体に形成された裏地が設けられている。
【００２３】
本ノートカバーの各部について説明する。
折曲部１１は、ダイアリーのノートの背表紙をカバーする部分で、折り曲げ可能となっている。
表表紙部１２は、ノートの表表紙をカバーする部分で、内側に表表紙を差し込む第１の差込部１２ａを備えている。第１の差込部１２ａは、折曲部１１側からノートの表表紙を差し込むよう開口している（束差込部分）。
【００２４】
また、第１の差込部１２ａには、名刺等のカード状のものを挿入するカードポケットが設けられている。カードポケットの挿入口の内側には、カード等を収納するカード収納部（図示せず）が形成されている。
図１の例では、挿入口が斜めに形成されたカードポケットが２つ設けられているが、挿入口が水平でもよく、また、３つ以上設けてもよい。
【００２５】
裏表紙部１３は、ノートの裏表紙をカバーする部分で、内側に裏表紙を差し込む第２の差込部１３ａを備えている。第２の差込部１３ａは、折曲部１１側から裏表紙を差し込むよう開口している（束差込部分）。
【００２６】
折返部１４は、本ノートカバーを閉じた場合に、フラップ状の蓋となる部分であり、裏表紙部１３（第２の差込部１３ａ）の、折曲部１１とは反対側の端部側に設けられている。
折返部１４と裏表紙部１３との接続部分１４ａは、内側に折り返し可能となっている。
【００２７】
そして、本考案の特徴部分として、折返部１４の内側には、ＰＶＣ（ポリ塩化ビニル）又はＰＰ（ポリプロピレン）等の透明素材の収納部（ポケット部）１５が設けられている。
収納部１５は、裏表紙部１３の幅より幅の狭い年間カレンダー、ＴＯＤＯリスト又は年間スケジュールを収納するものであり、これらを挿入するために、接続部１４ａ側が開口している。また、収納部１５は、図１，２の上側も開口している。
尚、透明素材における２つの開口部の角部を斜めにカットするか丸形に加工することで、年間カレンダー等を出し入れし易くできる。
【００２８】
収納部１５を設けることにより、ユーザは、ノートカバー本体を全部開かなくても、折返部１４のみを開いて、年間カレンダー等の、参照する機会の多い情報を手軽に確認することができ、利便性を向上させるものである。
【００２９】
また、折返部１４の幅（図１では横方向の長さ）は、裏表紙部１３の幅（折曲部１１側の端部から接続部１４ａ側の端部までの長さ）に比べて短く（狭く）形成されている。
つまり、折曲部１１を内側に折り曲げ、更に折返部１４を内側に折り返して、本ノートカバーを閉じた場合に、折返部１４が表表紙部１２の外側を半分ほど覆う形状となっている。
【００３０】
これにより、折返部１４のみを開く際に、折返部１４に覆われていない本体部分をしっかり持って折返部１４を開けることができ、持ち易く、安定して開くことができるものである。また、折返部１４を開いた状態でも、幅が広がりすぎず、扱いやすいものである。
尚、ここでは、第２の差込部１３ａの幅と折返部１４の幅は同程度に形成されているが、第２の差込部１３ａの幅に対して折返部１４の幅を長くしてもよいし、短くしてもよい。
【００３１】
更に、折返部１４は、接続部１４ａとは反対側の端部の中央付近に、当該端部から突出するようにホックボタンの凹部１６が取り付けられている。
そして、当該凹部１６に対応して、図２に示すように、表表紙部１２の外側にホックボタンの凸部１７が取り付けられている。
凹部１６を、折返部１４の端部から突出させて取り付けることにより、収納部１５に収納された年間カレンダー等の情報を隠さないようにしているものである。
【００３２】
凸部１７と凹部１６は、図３に示すように、表表紙部１２を閉じて、折返部１４を内側に折り返した場合に、重なる位置に設けられており、凹部１６と凸部１７とが嵌合して一体となってホックボタンが閉となり、凹部１６を凸部１７から引き離すとホックボタンが開となる。
尚、ここでは、折返部１４の端部に凹部１６を設け、表表紙部１２の外側に凸部１７を設けたが、折返部１４の端部を凸部とし、表表紙部１２の外側に凹部を設けてもよい。
【００３３】
また、本ノートカバーでは、本体を形成する外側部材の人工皮革と内側の裏地との間に、折曲部１１と接続部１４ａの部分を除いて厚紙が挿入されており、型崩れを防止している。
また、第１の差込部１２ａ、第２の差込部１３ａと、折返部１４の内側も人口皮革で形成されている。
【００３４】
［本ダイアリー：図４，５］
本考案の実施の形態に係るダイアリー（本ダイアリー）について図４，５を参照しながら説明する。図４は、本ダイアリーのノート本体を開いた状態を示す説明図であり、図５は、本ダイアリーが閉じた状態の底面を示す説明図である。
図４では、ノート本体２０が本ノートカバーに差し込まれ、ノート本体２０の月間カレンダーが開いた状態で、折返部１４の収納部１５に年間カレンダー３０ａを挿入した状態を示している。
収納部１５に挿入された年間カレンダー３０ａを参照しながらノート本体２０の月間カレンダーに記入することが可能となる。
【００３５】
また、折曲部１１が折り曲げられると、ノート本体２０が閉じられた状態となり、折返部１４が開いた状態であれば、収納部１５に収納された年間カレンダー３０ａのみを参照できる。
更に、折返部１４を内側に折り返せば、図３及び図５に示すように、本ダイアリーが閉じられた状態となり、持ち運ぶのに便利である。
【００３６】
［紙片：図６］
収納部１５に収納される紙片には、年間カレンダー３０ａの他に、図６に示すように、年間スケジュール３０ｂ、ＴＯＤＯリスト３０ｃがある。図６は、他の紙片の例を示す図である。
これら以外にも、メモ用の紙片を収納部１５に挿入してもよい。
また、収納部１５には数枚の紙片を重ねて挿入可能であり、ユーザの必要な紙片を随時選択して参照可能としてもよい。
【００３７】
［応用例］
上記の本ノートカバー及び本ダイアリーは、右利き用として、裏表紙部１３の右側に折返部１４を形成したが、図１を１８０度回転させて、ノート本体を差し込めば、左利き用として使用することができる。
但し、収納部１５の開口部の一部が下側を向くことになるので、紙片の落下に注意する必要がある。そのため、右利き用を回転して左利き用とするのではなく、各部の配置を左利きの人にとって便利なように変更した構成としてもよい。
具体的には、折返部を図１のように裏表紙部の右側に形成するのではなく、表表紙部１２の左側に形成する。
この場合、折返部の形状は、図１の折返部１４の左右を反転させた形状となり、収納部の開口部は、表表紙部に接続する側及び上側に形成される。また、ホックボタンの凸部は裏表紙部１３の外側に設けられるものである。
【００３８】
［実施の形態の効果］
本ノートカバーによれば、表表紙部１２の内側にノートの表表紙を差し込む第１の差込部１２ａが形成され、裏表紙部１３の内側にノートの裏表紙を差し込む第２の差込部１３ａが形成され、裏表紙部１３の折曲部１１とは反対側の端部に、裏表紙の差込方向における裏表紙部１３の長さより短い幅で折返可能な折返部１４が形成され、折返部１４には、当該幅より短い幅の年間カレンダー、ＴＯＤＯリスト又は年間スケジュールの紙片が参照可能に収納される収納部１５が設けられているので、ノートカバーの本体を開かなくても、折返部１４を開くだけで、収納部１５に収納された年間カレンダー３０ａ、年間スケジュール３０ｂ又はＴＯＤＯリスト３０ｃを手軽に参照でき、利便性を向上できる効果がある。
【００３９】
本ダイアリーによれば、上記ノートカバーに月間のカレンダー又は／及び週間のカレンダーを有するダイアリーのノート本体２０を差し込んだものであり、ノートカバーが閉じた状態から、折返部１４を開くだけで、ノート本体２０を開くことなく、年間カレンダー３０ａ、年間スケジュール３０ｂ又はＴＯＤＯリスト３０ｃを容易に参照できる効果がある。
【産業上の利用可能性】
【００４０】
本考案は、ダイアリーのノート本体のページを開かなくても、ユーザが頻繁に確認したい年間カレンダー、ＴＯＤＯリスト、年間スケジュールを容易に参照できるノートカバー及びダイアリーに適している。
【符号の説明】
【００４１】
１１...折曲部、  １２...表表紙部、  １２ａ...第１の差込部、  １３...裏表紙部、  １３ａ...第２の差込部、  １４...折返部、  １４ａ...接続部、  １５...収納部、  １６...凹部、  １７...凸部、  ２０...ノート本体、  ３０ａ...年間カレンダー、  ３０ｂ...年間スケジュール、  ３０ｃ...ＴＯＤＯリスト
【図１】
0003205497.tif 000003
【図２】
0003205497.tif 000004
【図３】
0003205497.tif 000005
【図５】
0003205497.tif 000006
【図６】
0003205497.tif 000007
【図４】
0003205497.tif 000008